(57)【要約】【課題】消費電力が小さい新規な発熱手段を組み込んだ防寒衣服を提供することを目的とする。【解決手段】寒さなどの外気から着用者を保護する防寒衣服本体の所定箇所に、その発熱上限温度をあらかじめ設定した半導体発熱素子からなる局所ヒータを配置し、この局所ヒータを電源（二次電池）に接続する。この防寒衣服によれば、新規な半導体発熱素子で形成した局所ヒータを使用するので構造の簡略化とともに小型軽量化を図ることができ、日常業務などにも全く支障なく長時間に亘って簡便に使用することができるものである。【選択図】図２
2006207099.tif 000002
【特許請求の範囲】
【請求項１】
寒さなどの外気から着用者を保護する防寒衣服であって、衣服本体の所定箇所に半導体発熱素子からなる局所ヒータを配置し、この局所ヒータを電源に接続して使用することを特徴とする防寒衣服。
【請求項２】
局所ヒータは、酸化錫と、酸化鉛と塩化鉛との混合物を有機溶剤で溶解した溶解物とを還元剤を使用して混合加熱後冷却し、得られた半導体発熱素子を耐熱性フィルムに付着しさらにこれを支持シートに取着することにより形成してなる請求項１に記載の防寒衣服。
【請求項３】
局所ヒータの発熱上限温度を７０℃に設定してなる請求項１または２に記載の防寒衣服。
【請求項４】
衣服本体に配置される局所ヒータを着脱自在に構成することを特徴とする請求項１〜３のいずれかに記載の防寒衣服。
【請求項５】
防寒衣服はインナージャケットとして形成され、局所ヒータを着用者の頸部と腰部に当接し得るように配置することを特徴とする請求項１〜４のいずれかに記載の防寒衣服。
【請求項６】
電源として二次電池を使用することからなる請求項１〜５のいずれかに記載の防寒衣服。
【発明の詳細な説明】
【技術分野】
【０００１】  この発明は、防寒衣服に関するものであり、一層詳細には、新規な発熱手段を組み込んだ防寒衣服に関するものである。
【背景技術】
【０００２】  従来より、寒さなどの外気から人体（着用者）を保護するために使用されている防寒衣服としては、外気に接する表地と人体側に配される裏地との間に、例えば、羽毛（ダウン）、コットンとウールを混紡した詰めワタ、さらにはポリエステル、アクリルなどの合成繊維ワタなどの中ワタを挿入してキルティング縫製することにより厚めの保温層を形成した防寒ジャケットが広範に使用されている。【０００３】  特に、中ワタに羽毛（ダウン）を使用したものは軽くしかも優れた保温性を有するので防寒ジャケットとして最も好ましいが、高価であるばかりでなく着膨れするため動作が緩慢になりがちで作業性も低下することから日常の業務などに着用すると支障をきたすことがある。
そこで、あまり嵩張らない廉価なジャケットと使い捨てカイロなどを組み合わせて寒さに対処するなどその使用に工夫を凝らしているが、カイロは消耗品のため補充が必要となり、使い方によっては低温火傷をすることがあり、また、稀には電気ヒータを使用した形式のジャケットも提案されてはいるが、消費電力が大きくサーモスタットなどの温度制御機構も必要になるため実用性の点で問題があった。【０００４】  一方、ポリプロピレンなどを素材とする合成樹脂製の不織布やフィルムで形成した表地と、同様の合成樹脂製不織布からなる裏地との間に、例えば、古紙を原料とする解繊パルプを中ワタとして使用した軽量で嵩張らない防寒衣服（特許文献１）なども提案されているが、この防寒衣服はあまりにも簡便なため厳しい寒気などから着用者を充分保護できないという問題があった。【０００５】
【特許文献１】  特開２００１−８９９１８号公報
【０００６】  このような事情から、軽量で作業性に富むだけでなく寒さに対しても着用者を充分に保護することのできる防寒衣服の登場が待望されていた。
【発明の開示】
【発明が解決しようとする課題】
【０００７】  ところで、発明者は、酸化錫と、酸化鉛と塩化鉛との混合物を有機溶剤で溶解した溶解物とを還元剤を使用して混合加熱後冷却し、得られた発熱機能混合物を、例えば、フィルムなどの基材に付着させることにより、熱交換率が９０％以上と極めて大きく、しかも利用範囲や自由度も高い新規な半導体発熱素子の開発に成功している。【０００８】  そして、この半導体発熱素子は、従来のＰＴＣ材料（Ｐｏｓｉｔｉｖｅ  Ｔｅｍｐｅｒａｔｕｒｅ  Ｃｏｅｆｆｉｃｉｅｎｔ  半導体材料からなる伝熱交換材料）が通電負荷が高くて耐用寿命が短く、使用時に電流が急変したり、キュリー温度が低いため温度上昇が制約を受けるなど実用面で種々の問題が指摘されているのに対し、消費電力が小さいだけでなく耐用寿命も長く、短時間で昇温が可能であり、さらには錫と鉛の混合割合を調整することにより発熱上限温度をあらかじめ設定できるなど多くの優れた点が確認されている。
【課題を解決するための手段】
【０００９】  そこで、本願の請求項１に係る発明では寒さなどの外気から人体を保護するための防寒衣服における衣服本体の所定箇所に新規に開発した半導体発熱素子からなる局所ヒータを配置し、この局所ヒータを電源装置に接続して使用するよう構成することを特徴とするものである。【００１０】  また、請求項２に係る発明では、局所ヒータとして、酸化錫と、酸化鉛と塩化鉛との混合物を有機溶剤で溶解した溶解物とを還元剤を使用して混合加熱後冷却し、得られた半導体発熱素子（発熱機能混合物）を耐熱性フィルムに付着しさらにこれを支持シートに取着することにより形成した面状発熱体を使用することを特徴とするものである。【００１１】  一方、請求項３に係る発明では、局所ヒータの発熱上限温度を７０℃に設定することを特徴とするものである。【００１２】  さらに、請求項４に係る発明では、局所ヒータを衣服本体に対して着脱自在に構成することを特徴とするものである。【００１３】  さらにまた、請求項５に係る発明において防寒衣服はインナージャケットとして好適に構成され、この場合、局所ヒータを着用者の腰部と頸部に対応する位置に配設することを特徴とするものである。【００１４】  なお、請求項６に係る発明では、電源装置として二次電池を使用することを特徴とするものである。
【発明の効果】
【００１５】  本発明に係る防寒衣服によれば；
（１）発熱手段として、消費電力が小さくしかも熱効率の高い新規な半導体発熱素子で形成した局所ヒータを使用するので、構造の簡略化とともに小型軽量化を図ることができ、さらには日常業務などにも全く支障なく長時間の使用が可能で汎用性の拡大を図ることができる。
（２）電子のぶつかり合いにより発熱する半導体発熱素子によって局所ヒータを形成したので電磁波が発生せず、速やかな昇温と安定した発熱が得られ、電気エネルギーを効率よく利用することができる。
（３）半導体発熱素子における錫と鉛の混合割合を調整してその発熱上限温度をあらかじめ設定するので、温度制御機器が不要で安心して使用することができ、従来のように制御機器手段の不調や使用法による低温火傷などの惧れがない。
（４）衣服本体から局所ヒータを取り外せるのでクリーニングなどのメンテナンスを簡便に行うことができ、また、着用者の頸部と腰部に当接する位置に局所ヒータを配設したのでツボへの刺激による心地良い暖さかを得ることができ、さらには電源として充電可能な二次電池を使用するのでいつでもどこでも簡便に使用することができる、
など種々の優れた効果を奏するものである。
【発明を実施するための最良の形態】
【００１６】  次に、本発明に係る防寒衣服の最良の実施の形態としてインナージャケットを例示し、図面を参照しながら以下詳細に説明する。
図１及び図２において、本発明に係る防寒衣服としてのインナージャケット１０は、例えば、綿繊維とポリエステル繊維を混紡した織布で表地１２を形成するとともに裏地１４には肌触りの良いポリエステル繊維を１００％使用した織布で形成したベスト形のジャケット本体１６を備え、このジャケット本体１６に半導体発熱素子１８からなる局所ヒータ２０ａ、２０ｂを配置し、さらにこれらの局所ヒータ２０ａ、２０ｂを背裏ポケット２２内に収容した電源装置２４に接続することにより基本的に構成されている。
なおこの場合、ジャケット本体１６の左右前身頃はファスナー２６により自由に開閉できるように形成されており、また、袖繰り部２８、２８は局所ヒータ２０ａ、２０ｂによって発生した熱をできるだけ外部へ逃がさないように普通のジャケットに比べて小さめに形成されている。【００１７】  また、局所ヒータ２０ａ、２０ｂは、酸化錫からなる主成分と、酸化鉛と塩化鉛との混合物をエチルアルコールなどの有機溶剤で溶解した溶解物とを適宜の還元剤を使用して混合したのち２００℃程度に加熱し、さらにこの加熱混合物に、例えば、ナイロン系樹脂、シリコン系樹脂等の合成樹脂を素材とするバインダーを混合して加熱したのち冷却して得られた発熱機能混合物（半導体発熱素子１８）を、例えば、熱可塑性のポリイミド樹脂フィルムに塗布してラミネートし、さらに前記半導体発熱素子１８からリード線３０を導出した状態で、例えば、ゲルマニウムおよびセレンなどを含有しかつ波長が１０μｍ程度の遠赤外線を放射する鉱物質素材を塗布することにより含ませた支持布３２に取着することにより柔軟な面状発熱体として構成されている（図３参照）。
なお、本実施の形態において半導体発熱素子１８は、酸化錫と鉛混合物との混合比を所定の割合に調整することにより、環境温度が２０℃、電圧３．６Ｖで使用した場合の発熱上限温度が７０℃となるように設定されている。【００１８】  前記インナージャケット１０の後身頃を形成する裏地１４の背面にはコ字形のポケット３４、３４を縫製によって形成し、これらのポケット３４、３４に局所ヒータ２０ａ、２０ｂを所望により着脱し得るように収容配置する（図４参照）。なお、コ字形ポケット３４、３４を設けるについては、インナージャケット１０を着用した際に、着用者の頸部（第７頸椎下部のツボである大椎）が局所ヒータ２０ａに、また腰部（第２腰椎近傍のツボである志室、三焦愈）が局所ヒータ２０ｂに当接するように位置決めして縫製するのが好適である（図２参照）。【００１９】  一方、局所ヒータ２０ａ、２０ｂの半導体発熱素子１８から導出されたリード線３０は、本実施の形態においては、非水溶媒を使用することにより電源電圧を高くとることが可能なリチウムイオン２次電池３６をその内部に収納した電源装置２４にコネクタ３８を介して接続されており、この電源装置２４には電源スイッチ４０、ＡＣアダプター４２、ヒータ切替スイッチ４４、さらにはリモコンスイッチ４６などが装備されている。なお、ヒータ切替スイッチ４４およびリモコンスイッチ４６は、電源装置２４から局所ヒータ２０ａ、２０ｂへの給電を適宜選択（２０ａまたは２０ｂ、２０ａと２０ｂ）することにより寒暖の変化などに応じて発熱温度を調整できるように構成されている。【００２０】  なお、図２において、参照符号４８は表地１２の両腰部分にゴム織りされたタック部であり、これらのタック部４８はインナージャケット１０を着用した際に、局所ヒータ２０ｂが着用者の腰部に柔らかく押圧されるようにするためのものである。【００２１】  このように構成した本実施の形態に係るインナージャケット１０を使用するに際しては、商用電源に差込んだＡＣアダプター４２を電源装置２４に接続してリチウムイオン２次電池３６の充電を行って局所ヒータ２０ａ、２０ｂに接続した電源装置２４を背裏ポケット２２内に収納し、次いでインナージャケット１０を着用して適宜電源スイッチ４０を入れ、切替スイッチ４４（またはリモコンスイッチ４６）を操作して局所ヒータ２０ａおよび／または２０ｂに通電すれば良い。【００２２】  なお、局所ヒータ２０ａおよび／または２０ｂに通電すると、半導体発熱素子１８（発熱機能混合物）内において電子のぶつかり合いが生じて即座に面としての発熱が始まり、設定された上限温度に達するとこの温度を自己保持する。そして局所ヒータ２０ａおよび／または２０ｂ（半導体発熱素子１８）で発生した熱が支持布３２および裏地１４を介して着用者に伝達すると適温となり頸部および／または腰部を暖める。
この場合、局所ヒータ２０ａおよび／または２０ｂ（半導体発熱素子１８）で発生した熱は支持布３２から生じる遠赤外線による血行促進作用とツボ刺激による相乗効果によって着用者の体をやわらかく暖め、寒気などから好適に保護することができるものである。
【産業上の利用可能性】
【００２３】  本発明に係る防寒衣服は、寒冷地での日常業務用途、高齢者の室内用や外出用、寒い時期などの農作業や海上業務用、フィッシングやライダーさらにはスポーツ観戦などのレジャー用など種々の用途に広く使用することができるものである。
【図面の簡単な説明】
【００２４】
【図１】本発明に係る防寒衣服の実施の形態としてのインナージャケットを示す正面説明図である。
【図２】図１に示すインナージャケットの左右前身頃を開けた状態の正面説明図である。
【図３】図１に示すインナージャケットに使用される局所ヒータと電源装置との関係を示す概略説明図である。
【図４】局所ヒータと防寒衣本体との関係を示す図２のＡ−Ａ線拡大断面説明図である。
【符号の説明】
【００２５】  １０  インナージャケット
１２  表地
１４  裏地
１６  ジャケット本体
１８  半導体発熱素子
２０  局所ヒータ
２２  背裏ポケット
２４  電源装置
２６  ファスナー
２８  袖繰り部
３０  リード線
３２  支持布
３４  コ字形ポケット
３６  リチウムイオン２次電池
３８  コネクタ
４０  電源スイッチ
４２  ＡＣアダプター
４４  ヒータ切替スイッチ
４６  リモコンスイッチ
４８  タック部
【図１】
2006207099.tif 000003
【図２】
2006207099.tif 000004
【図３】
2006207099.tif 000005
【図４】
2006207099.tif 000006